(57)【特許請求の範囲】
【請求項１】
キャノピー構造体が、二本のバーをＸ字状に回動自在に連結してパンタグラフ状に折り畳み自在としたシザー組立体と、ルーフ支持部材及び支柱等の骨組部材並びにルーフシートを含み、支柱の上端に固定される固定ブラケットと支柱の途中にスライド自在に挿着されるスライドブラケットで支柱、シザー組立体及びルーフ支持部材等の骨組部材を相互に連結して折り畳み自在とした構造からなり、隣接して配置されたキャノピーの間の隙間に位置し、該隙間を被覆し得る細長い帯状の連結帯幕の一側縁を一方のキャノピーのルーフシートの内面に一体に接続し、他側縁をシザー組立体の形状に倣って山形が連続する形状に形成し、該山形の屈曲部(山部と谷部)にそれぞれ連結用紐を取り付け、他方のキャノピーのルーフシートの内面にＵ字状に折り返して連結紐でシザー組立体の山部と谷部にそれぞれ連結し、両キャノピーの間の隙間に流下する雨水のための樋としたことを特徴とする折り畳み自在なキャノピーの連結構造。
【発明の詳細な説明】
【０００１】
【発明の属する分野】
この発明は、テント、日除け等の折り畳み自在な骨組を備えるキャノピーに関し、特に複数のキャノピーを連結する構造に関する。
【０００２】
【従来の技術】
従来、二本のバーを連結部で回動自在にＸ字状に連結してパンタグラフ状に折り畳み自在としたシザー組立体を用いて、テント、日除け等の折り畳み自在な骨組を備えたキャノピーは公知であり、例えば特許第２６２５２５５号公報等に開示されている。かかる折り畳み自在なキャノピーは、展開したとき充分に大きな面積を被覆することが出来、また折り畳んだときは充分に小さな寸法と形状となり、所望のバッグに収納して携行することが可能となるため、広く実用化されている。支柱とシザー組立体及びルーフ支持部材は、相対的な回動を許容する連結ブラケットで相互に連結されており、ブラケットの一つは支柱の上端に固定され、他の一つは支柱に沿ってスライドし得るようになっており、固定されたブラケットとスライドするブラケットとの間にシザー組立体を連結して、シザー組立体の屈伸が達成される。そして、ルーフ支持部材は、一端を支柱に連結し、他端をルーフの中央においてルーフ中央支持柱に回動自在に連結した構造である。
【０００３】
かかる折り畳み自在な骨組を備えるキャノピーは、折り畳んで携行出来、且簡単に組み立て可能であることを特徴としているため、その大きさには限度があり、一般的には長さ６ｍ、幅３ｍのサイズのものが最大である。これ以上のサイズのキャノピーは、折り畳んだ際の寸法と重量が嵩むため携行に不便となり、又組み立てる際にもその重量のためにシザー組立体の円滑な展帳が困難となり、実用的ではなかった。ところが、実際の使用状況ではこれより広い面積を被覆するようなサイズのものが、しばしば要望される。通常のサイズのキャノピーを複数連結してサイズを大きくすることは考えられるが、連結部に隙間が発生しこの隙間から雨水がキャノピー内に流下してくる問題がある。
【０００４】
【発明が解決しようとする課題】
この発明は、複数のキャノピーを連結する連結構造であって、連結部から雨水が流下しないようにして、複数のキャノピーを連結可能とすることによりキャノピーの実質的な大型化を図り得るようにせんとするものである。
【０００５】
【課題を解決するための手段】
上記課題を解決するためにこの発明が採った手段は、キャノピー構造体が、二本のバーをＸ字状に回動自在に連結してパンタグラフ状に折り畳み自在としたシザー組立体と、ルーフ支持部材及び支柱等の骨組部材並びにルーフシートを含み、支柱の上端に固定される固定ブラケットと支柱の途中にスライド自在に挿着されるスライドブラケットで支柱、シザー組立体及びルーフ支持部材等の骨組部材を相互に連結して折り畳み自在とした構造からなり、隣接して配置されたキャノピーの間の隙間に位置し、該隙間を被覆し得る細長い帯状の連結帯幕の一側縁を一方のキャノピーのルーフシートの内面に一体に接続し、他側縁をシザー組立体の形状に倣って山形が連続する形状に形成し、該山形の屈曲部(山部と谷部)にそれぞれ連結用紐を取り付け、他方のキャノピーのルーフシートの内面にＵ字状に折り返して連結紐でシザー組立体の山部と谷部にそれぞれ連結し、両キャノピーの間の隙間に流下する雨水のための樋としたことを特徴とする。
【００１０】
【発明の実施の形態】
この発明の好ましい実施の形態を、以下に詳細に説明する。この発明は、相互に連結される二つのキャノピーの連結部間にルーフシートと同様の材質からなる帯状の連結帯幕をＵ字状に折り返して雨樋状に配置したことを特徴とする。連結帯幕は、隣接するキャノピーのルーフシートの内側においてそれぞれ隣接するキャノピーに連結される。連結帯幕は、細長い帯状の幕体であり、ルーフシートと同一の材質で形成され、ルーフシート若しくはシザー組立体に連結される。連結帯幕は、好ましくはその長手方向一側縁をルーフシートの一側面下部にルーフシートの幅方向に沿って一体的に連結される。他側縁は、展帳されたシザー組立体の形状に倣って山形が連続した形状に形成され、各屈曲部に連結紐が取り付けられ、該紐を他方のキャノピー構造体のシザー組立体に結びつけて二つのキャノピーを連結する。連結された連結帯幕は、連結部においてＵ字状に折り返されて二つのキャノピーの連結部間に位置する雨樋となり、雨水を受け止めて側方に流すことが出来る。
【００１１】
連結帯幕の連結は、かかる構造に限定されるものではない。ルーフシートの内側と連結帯幕にタッチクローズ型面ファスナーを取付て、タッチクローズ型面ファスナーの接合により連結しても良い。この場合には、連結される二つのルーフシート内面にタッチクローズ型面ファスナーを取り付けると共に、連結帯幕の長手方向両側部にタッチクローズ型面ファスナーを定着して、連結帯幕を一方のキャノピーに一体的に固着しないようにすることも可能であろう。又、紐やタッチクローズ型面ファスナーに代って、その他の接合部材を用いてもよいことは勿論である。連結帯幕は、ルーフシートの内側において接合することが重要である。ルーフシートの内側に接合することにより、ルーフシートを伝って流れ落ちてきた雨水が、Ｕ字形に折り返された連結帯幕に確実に受け止められ、キャノピーの内部に流れ落ちるおそれがなくなる。ルーフシートの外側に連結した場合、ルーフシートと連結帯幕との間から雨水が下方に流れ落ちるため、好ましくない。
【００１２】
テント、日除け等のための折り畳み自在なキャノピーは、二本のバーを連結部で回動自在にＸ字状に連結してパンタグラフ状に折り畳み自在としたシザー組立体、支柱及びルーフ支持部材からなる骨組構造を有し、この骨組構造に防水性及び耐候性を備え所望の強度を有する布地若しくはプラスティックシートからなるルーフシートが張設される。シザー組立体と支柱は相対的な回動を許容する連結ブラケットで相互に連結されており、ブラケットの一つは支柱の上端に固定され、他の一つは支柱に沿ってスライドし得る構造を有し、固定されたブラケットとスライドするブラケットとの間にシザー組立体を連結して、シザー組立体の屈伸が達成されるようになっている。そして、ルーフ支持部材は、一端を支柱に連結し、他端をルーフの中央においてルーフ中央支持柱に回動自在に連結した構造である。かかる折り畳み自在なキャノピーは、展開したとき充分に大きな面積を被覆することが出来、また折り畳んだときは充分に小さな寸法と形状となり、所望のバッグに収納して携行することが可能である。
【００１３】
キャノピーの折り畳み構造は、二本のバーを回動自在にＸ字状に連結してパンタグラフ状に折り畳み自在とした構造に限られるものではない。水平に延びる桁部材を伸縮自在な構造にして折り畳み可能とした構造であっても、或は、シザー組立体と折曲自在な桁部材との組合せからなる折り畳み構造としてもよい。さらに、その他の折り畳み自在なキャノピー構造体であってもよい。
【００１４】
【実施例】
図１，２を参照して、折り畳み自在な構造によって設営されたキャノピーの斜視図であり、図１は４本の支柱からなる比較的小型のテントを示し、図２は６本の支柱を有する比較的大型のテントを示し、この発明はいずれのキャノピーにも、更にはこれより大型のキャノピーにも適用できるものである。図３〜５を参照して、折り畳み自在なキャノピー構造体の展開状態（図３）、折り畳み途中の状態（図４）及び折り畳んだ状態（図５）をそれぞれ示す。キャノピー構造体は、キャノピーの４隅或は中間に垂直に立設される支柱(１)、隣接する二本の支柱(１)(１)を水平に連結するシザー組立体(２)、並びにルーフ支持部材(３)等の骨組部材から構成される。シザー組立体(２)は、二本のバーを中央部でＸ字状に回動自在に連結してパンタグラフ状に屈伸自在としたものであり、各バーの自由端の一方は支柱(１)の上端に固定して連結され、他の一方は支柱に沿って上下方向にスライド自在に支柱(１)に連結される。ルーフ支持部材(３)は、各支柱(１)の上端に一端を連結され、他端はキャノピーの中央部で互いに連結されており、シザー組立体(２)が伸張されるとき、伸張に応じて自動的に或は独立して手動で上方に持ち上げられてルーフを構成する。ルーフ支持部材(３)には、折り畳み自在な防水性及び耐久性を有し所望の強度を具える合成樹脂製シート、或は織物からなるルーフシート(４)が張設、被覆され、キャノピーの屋根を作出する。
【００１５】
図６〜８を参照して、支柱(１)とシザー組立体(２)、ルーフ支持部材(３)を連結するために、支柱(１)の上端に固定ブラケット(５)が固着され、また支柱(１)の途中にスライド自在にスライドブラケット(６)が取り付けられる。ルーフ支持部材(３)は一端を固定ブラケット(５)に連結され、他端はルーフの中央部に集中し、互いに回動自在に連結される。ルーフ支持部材(３)をシザー組立体(２)の伸展若しくは折り畳みに応じて上方に持ち上げ或は折り畳むために方杖部材(７)がスライドブラケット(６)とルーフ支持部材(３)の途中に連結される。しかしながら、ルーフ支持部材(３)は必ずしもスライドブラケット(６)の上下動に応じて展開する必要はなく、手動で展開しても良いことは勿論である。尚、固定ブラケット(５)は、支柱(１)の上端に固着してあるが、支柱(１)の上端を若干固定ブラケット(５)の上方に延び出させて固定しても良いことは勿論であり、要は支柱の上部に固定して配置されていればよい。
【００１６】
この発明は、かかるキャノピーを横に連結する場合において、隣接するキャノピーの連結部間に連結帯幕(８)を配置して雨樋を作出したことを特徴とするものである。連結帯幕(８)は、細長い帯状の部材でありルーフシート(４)と同様の防水性、耐久性及び強度を有する合成樹脂製シート、織物からなり、長手方向の一側縁はルーフシート(４)に一体的に接合される。連結帯幕(８)の長手方向他側縁は、図示のような山形の連続した形状に形成されると共に、山形の屈曲部にそれぞれ連結用紐(９)が取り付けられている。この山形が連続した形状は、前記シザー組立体(２)が展帳されたときの形状に対応しており、連結用紐(９)をシザー組立体(２)に結びつけて連結帯幕(８)を隣接するキャノピーに連結する。連結された連結帯幕(８)は、隣接するキャノピーのルーフシート(４)の内側に入ってルーフシート(４)の下部と重なると共に、Ｕ字状に折り返されて樋状になるため、ルーフシート(４)から流下してきた雨水は樋状の連結帯幕(８)に受け止められ、連結帯幕(８)の側方に導かれて側端から地上に流下する。従って、キャノピーの内部に雨水が流下してくるのを防止できる。
【００１７】
連結帯幕(８)は、キャノピーの少なくとも一つの側面に設けるが、必要があれば二つ以上の側面に設けてもよいことは勿論である。紐で連結するようにすることにより、キャノピーのいずれの側面でも自由に連結することが可能となる利点がある。尚、連結手段としては紐に代って、タッチクローズ型面ファスナーやその他の連結手段を用いても良いことことは勿論である。又、連結帯幕(８)は、いずれのキャノピーにも固定されない独立した帯状の部材とし、連結手段で両側縁を隣接するキャノピーに連結するようにしても良い。この場合には、隣接するキャノピーのルーフシート内面にタッチクローズ型面ファスナーを定着し、連結帯幕(８)の両側縁に定着したタッチクローズ型面ファスナーで連結する方法が実用的であろう。(10)は、側面に連結された側面覆幕である。
【００１８】
【発明の効果】
この発明によれば、複数のキャノピーを隣接して連結し被覆面積の大きなキャノピーを作出することが出来ると共に、連結部間からの雨水の漏れを防止することが可能である。
【図面の簡単な説明】
【図１】この発明を適用したキャノピーの斜視図
【図２】同、サイズの異なるキャノピーの斜視図
【図３】キャノピー構造体の展開状態を示す斜視図
【図４】キャノピー構造体の折り畳み途中の状態を示す斜視図
【図５】キャノピー構造体の折り畳んだ状態を示す斜視図
【図６】キャノピー構造体の一部の拡大斜視図
【図７】展開途中のキャノピー構造体の一部の正面図
【図８】展開したキャノピー構造体の一部の正面図
【図９】この発明によるキャノピーの連結状態を示す側面図
【図１０】同、平面図
【図１１】連結前の図１０と同様の図
【符号の説明】
(１)支柱
(２)シザー組立体
(３)ルーフ支持部材
(４)ルーフシート
(５)固定ブラケット
(６)スライドブラケット
(７)方杖部材
(８)連結帯幕
(９)連結用紐
(10)側面覆幕
【図１】
0004117105.tif 000002
【図２】
0004117105.tif 000003
【図３】
0004117105.tif 000004
【図４】
0004117105.tif 000005
【図５】
0004117105.tif 000006
【図６】
0004117105.tif 000007
【図７】
0004117105.tif 000008
【図８】
0004117105.tif 000009
【図９】
0004117105.tif 000010
【図１０】
0004117105.tif 000011
【図１１】
0004117105.tif 000012